(57)【特許請求の範囲】
【請求項１】
居住者を呼び出すために集合住宅のエントランスに設置された集合玄関機と、前記集合玄関機からの呼び出しに応答するために各住戸内に設置された居室親機とを備え、前記居室親機には不審者の侵入等の異常を検知する防犯センサが接続されて、異常を検知すると前記居室親機が発報動作する防犯モードに設定可能な集合住宅インターホンシステムにおいて、
前記集合玄関機に、住戸を選択する住戸選択部と、居住者のＩＤを入力するＩＤ入力部とを設ける一方、前記居室親機に、前記集合玄関機から自身の住戸が選択された後、居住者のＩＤが入力されたら、防犯設定の操作が成されたと判断して前記防犯モードに移行制御する親機モード制御部を設け、
更に前記居室親機に、住居の玄関扉の施錠を検知する施錠検知部と、前記玄関扉が施錠されたら所定時間の計時を開始するタイマーとを設け、
前記親機モード制御部は、前記集合玄関機において成された防犯設定操作が、前記タイマーがカウントアップする前であれば、当該防犯設定を有効として防犯モードに移行制御し、カウントアップした後であれば、前記防犯設定を無効とすることを特徴とする集合住宅インターホンシステム。
【請求項２】
エントランスに設置されたオートドアはＲＦＩＤキーにより解錠でき、前記集合玄関機のＩＤ入力部は、前記ＲＦＩＤキーを認識するＲＦＩＤ受信機能を有することを特徴とする請求項１記載の集合住宅インターホンシステム。
【発明の詳細な説明】
【技術分野】
【０００１】
本発明は、居室親機に防犯センサが接続されて、不審者の侵入等を検知したら警報を発する機能を備えた集合住宅インターホンシステムに関する。
【背景技術】
【０００２】
従来より居室親機に窓センサやドアセンサ、更には人感センサ等の防犯センサを接続して、不審者の侵入等を検知したら居室親機で警報を発して侵入者を威嚇したり、警備会社等住戸外に異常発生信号を通知する機能を備えたインターホンシステムがある（例えば、特許文献１参照）。このような、防犯機能を備えたインターホンシステムは、居室親機に防犯設定ボタンが設けられ、外出時等にこのボタンを操作して居室親機に接続されている各種センサを能動とし、防犯モードに移行する。
【特許文献１】特開２００５−３２８４７４号公報
【発明の開示】
【発明が解決しようとする課題】
【０００３】
上記防犯設定の操作は、集合住宅インターホンシステムの場合も同様であり、居室親機の防犯設定操作をし忘れて自宅を出てしまったら、自宅に戻って居室親機を操作する以外に居室親機を防犯モードに移行させる手立てはなかった。
ところが、集合住宅インターホンシステムの場合は、戸建住宅のインターホンとは異なり、自宅から離れた集合住宅のエントランスに居住者を呼び出して通話を行う為の集合玄関機が設置されているため、この集合玄関機を使用して自宅の居室親機の防犯設定を行うことができれば、システムに新たな機器を追加することなく、そして自宅まで戻らずに防犯設定を行うことができる。
【０００４】
そこで、本発明はこのような点に鑑み、集合玄関機を利用して居室親機を防犯モードに移行させることができる集合住宅インターホンシステムを提供することを目的とする。
【課題を解決するための手段】
【０００５】
上記課題を解決する為に、請求項１の発明は、居住者を呼び出すために集合住宅のエントランスに設置された集合玄関機と、集合玄関機からの呼び出しに応答するために各住戸内に設置された居室親機とを備え、居室親機には不審者の侵入等の異常を検知する防犯センサが接続されて、異常を検知すると居室親機が発報動作する防犯モードに設定可能な集合住宅インターホンシステムにおいて、集合玄関機に、住戸を選択する住戸選択部と、居住者のＩＤを入力するＩＤ入力部とを設ける一方、居室親機に、集合玄関機から自身の住戸が選択された後、居住者のＩＤが入力されたら、防犯設定の操作が成されたと判断して防犯モードに移行制御する親機モード制御部を設け、更に居室親機に、住居の玄関扉の施錠を検知する施錠検知部と、玄関扉が施錠されたら所定時間の計時を開始するタイマーとを設け、親機モード制御部は、集合玄関機において成された防犯設定操作が、タイマーがカウントアップする前であれば、当該防犯設定を有効として防犯モードに移行制御し、カウントアップした後であれば、防犯設定を無効とすることを特徴とする。
この構成によれば、居住者が自宅を出た後に防犯設定のし忘れに気付いても、自宅まで戻ることなくエントランスにおいて自宅の居室親機を防犯モードに移行させることができ、便利である。而も、集合玄関機を利用して居室親機の防犯設定を行うため、別途機器を設ける等の大きな設計変更をする必要がない。
【０００６】
そして、住居の玄関扉を施錠した後、所定時間を超えたら集合玄関機から居室親機の防犯設定を行うことができない。よって、集合玄関機が操作されて、故意に或いは偶然に居室親機が防犯モードに移行するような事態を防ぐことができる。
【０００７】
請求項２の発明は、請求項１に記載の発明において、エントランスに設置されたオートドアはＲＦＩＤキーにより解錠でき、集合玄関機のＩＤ入力部は、ＲＦＩＤキーを認識するＲＦＩＤ受信機能を有することを特徴とする。
この構成によれば、集合住宅のオートドア解錠キーによりＩＤ認証されるので、居住者は別途ＩＤ番号等を記憶する必要がないし、簡易な操作でＩＤ認証を実施できる。而もＲＦＩＤキーにより認証するので、誤認証するようなことがない。また、防犯設定する場合はオートドアを解錠させる操作と異なり、最初に住戸選択操作が必要なので、オートドアを解錠させるためのＲＦＩＤ受信機と兼用することが可能である。
【発明の効果】
【０００８】
本発明によれば、居室親機の防犯設定を集合玄関機を使用して行うことができるため、居住者が自宅を出た後に防犯設定のし忘れに気付いても、自宅まで戻ることなくエントランスにおいて自宅の居室親機を防犯モードに移行させることができ便利である。
そして、住居の玄関扉を施錠した後、所定時間を超えたら集合玄関機から居室親機の防犯設定を行うことができないため、集合玄関機が操作されて、故意に或いは偶然に居室親機が防犯モードに移行するような事態を防ぐことができる。
【発明を実施するための最良の形態】
【０００９】
以下、本発明を具体化した実施の形態を、図面に基づいて詳細に説明する。図１は本発明に係る集合住宅インターホンシステムの一例を示す構成図であり、１は居住者を呼び出す為に集合住宅のエントランスに設置された集合玄関機、２は集合玄関機１からの呼び出しに応答するために個々の住戸に設置された居室親機、３はエントランスに設置されて集合住宅を出入りする際に通るオートドア（図示せず）を解錠するためのＲＦＩＤキーを示し、集合玄関機１と各居室親機２，２・・とは伝送線Ｌ１で接続されている。
また、４は窓センサ、ドアセンサ、人感センサ等の防犯センサ（第１防犯センサ４ａ、第２防犯センサ４ｂ）、５は個々の住戸の玄関扉に設けられた電気錠である。
【００１０】
集合玄関機１は、来訪者が居住者を呼び出す際に部屋番号等で住戸を選択するための入力部１１、選択した住戸の居室親機２を呼び出す呼出部１２、居室親機２との間で通話を行うための音声部１３、音声部１３に接続されたマイク１３ａ及びスピーカ１３ｂ、翳されたＲＦＩＤキー３からＩＤ情報を読み取るＲＦＩＤ受信部１４、集合玄関機１を制御する玄関機制御部１５、居室親機２と通信するためのインターフェース（玄関機ＩＦ部）１６を備えている。
【００１１】
尚、ＲＦＩＤキー３は居住者ＩＤでもあり、少なくとも住戸別に異なるＩＤが設定されている。またＲＦＩＤ受信部１４は、通常はオートドアを解錠する際使用され、帰宅した居住者が自身が携行するＲＦＩＤキー３をＲＦＩＤ受信部１４に翳す等してＩＤ入力が成され、このＩＤ入力を受けてオートドアは解錠される。
【００１２】
居室親機２は、応答操作や防犯設定等各種操作を行うための操作部２１、集合玄関機１との間で通話を行うための音声部２２、音声部２２に接続されたマイク２２ａ及びスピーカ２２ｂ、住戸の玄関扉が施錠されたら計時を開始するタイマー２３、居室親機２を制御する親機制御部２４、集合玄関機１と通信するためのインターフェース（親機ＩＦ部）２５、防犯センサ４を接続して警報信号を受信するためのインターフェース（防犯ＩＦ部）２６、電気錠５を接続して施錠信号を受信するためのインターフェース（電気錠ＩＦ部）２７を備えている。そして、親機制御部２４は、集合玄関機１において防犯設定操作が成されたら、防犯センサ４を能動として異常を検知したら警報を発する防犯モードに移行させる。
【００１３】
このように構成された集合住宅インターホンシステムの動作を次に説明する。但し、集合玄関機１を操作して居住者を呼び出す操作、居室親機２によるその応答操作は従来と同様であるため説明を省略し、集合玄関機１を操作して居室親機２を防犯設定する操作について説明する。
【００１４】
居住者が居室親機２を防犯設定せずに自宅を出て住居の玄関扉を施錠すると、親機制御部２４は、電気錠ＩＦ部２７から電気錠５の施錠信号を受けて、タイマー２３による所定時間（例えば１０分）の計時を開始する。そして、このタイマー２３がカウントをしている間、集合玄関機１による防犯設定を受け付ける。
【００１５】
詳細には、外出した居住者により集合玄関機１が操作されて、入力部１１で自宅番号の入力等自宅の選択操作が成され、その後ＲＦＩＤキー３をＲＦＩＤ受信部１４に翳してＩＤ入力が成されると、玄関機制御部１５は、選択された住戸情報と受信したＩＤ情報を玄関機ＩＦ部１６、伝送線Ｌ１を介して各居室親機２，２・・に送信する。
居室親機２，２・・のうち、選択された居室親機２の親機制御部２４は、引き続き送信されたＩＤ情報を自身がＩＤ記憶部（図示せず）に記憶している居住者のＩＤ情報と比較すると共に、タイマー２３による計時が継続中であるか判断する。そして、送信されたＩＤ情報と記憶しているＩＤ情報が一致し、且つタイマー２３がカウント中であったならば、防犯設定が成されたと判断して、自身を防犯モードに移行させて防犯センサ４を能動とする。
【００１６】
但し、居室親機２は、自身が選択され且つＩＤ情報が記憶しているＩＤと一致しても、タイマー２３がカウントアップしていたら、スピーカ１３ｂから「タイムアウトで防犯設定できません」等のメッセージを流し、防犯モードに移行しない。また、当然ＩＤ情報が間違っていたら、防犯モードに移行しない。
【００１７】
このように、居住者が自宅を出た後に防犯設定のし忘れに気付いても、自宅まで戻ることなくエントランスにおいて自宅の居室親機を防犯モードに移行させることができ、便利である。而も、集合玄関機を利用して居室親機の防犯設定を行うため、別途機器を設ける等の大きな設計変更をする必要がない。
また、住居の玄関扉を施錠した後、所定時間を超えたら集合玄関機から居室親機の防犯設定を行うことができないので、集合玄関機が操作されて、故意に或いは偶然に居室親機が防犯モードに移行するような事態を防ぐことができる。
更に、集合住宅のオートドア解錠キーによりＩＤ認証されるので、居住者は別途ＩＤ番号等を記憶する必要がないし、簡易な操作でＩＤ認証を実施できる。而もＲＦＩＤキーにより認証するので、誤認証するようなことがない。また、防犯設定する場合はオートドアを解錠させる操作と異なり、最初に住戸選択操作が必要なので、オートドアを解錠させるためのＲＦＩＤ受信機と兼用することが可能である。
【００１８】
尚、上記実施形態では、防犯設定のためのＩＤ入力をＲＦＩＤキーによるＩＤ入力としているが、暗証番号入力としても良いし、指紋や虹彩等の生体認証により行っても良い。また、オートドアを解錠するためのキーとＩＤ入力を同一のＩＤ（ＲＦＩＤ）としているが、異なるＩＤとしても良い。
【図面の簡単な説明】
【００１９】
【図１】本発明に係る集合住宅インターホンシステムの一例を示す構成図であり、集合玄関機と居室親機の１つを回路ブロック図で示している。
【符号の説明】
【００２０】
１・・集合玄関機、２・・居室親機、３・・ＲＦＩＤキー、４・・防犯センサ、５・・電気錠、１１・・入力部（住戸選択部）、１４・・ＲＦＩＤ受信部（ＩＤ入力部）、１５・・玄関機制御部、２３・・タイマー、２４・・親機制御部（親機モード制御部）。
【図１】
0005015754.tif 000002